(57)【要約】      （修正有）【課題】ピアツーピア（Ｐ２Ｐ）通信に起因する干渉を緩和する技法を提供する。【解決手段】Ｐ２Ｐ  ＵＥは、基地局からのダウンリンク信号の信号強度を測定することができ、基地局と通信するＷＷＡＮ  ＵＥへの干渉を緩和するために、測定された信号強度に基づいて（比例してなど）その送信電力をセットすることができる。もう１つの態様で、Ｐ２Ｐ  ＵＥは、ＷＷＡＮ  ＵＥからのアップリンク信号の信号強度を測定することができ、ＷＷＡＮ  ＵＥへの干渉を緩和するために、測定された信号強度に基づいて（反比例してなど）その送信電力をセットすることができる。一設計で、Ｐ２Ｐ  ＵＥは、ＷＷＡＮ  ＵＥからのアップリンク信号の信号強度を測定し、測定された信号強度に基づいて２つのＵＥの間の経路損失を予測し、予測された経路損失に基づいてその送信電力を決定することができる。【選択図】図１
2014078979.tif 000002
【特許請求の範囲】
【請求項１】
ワイヤレス通信のための方法であって、
第２のユーザ機器（ＵＥ）で第１のＵＥからの少なくともアップリンク信号の信号強度を測定することと、ここにおいて、前記第１のＵＥが基地局と通信し、第２のＵＥが第３のＵＥとピアツーピア通信すること、および
前記第１のＵＥからの少なくとも前記アップリンク信号の前記測定された信号強度に基づいて、前記第２のＵＥの送信電力を決定することと
を備える、方法。
【請求項２】
前記信号強度を前記測定することが、前記第１のＵＥからの前記アップリンク信号のみの前記信号強度を測定すること、および、前記第２のＵＥの前記送信電力を前記決定することが、前記第１のＵＥからの前記アップリンク信号のみの前記測定された信号強度に基づいて、前記第２のＵＥの前記送信電力を決定することと
を備える、請求項１に記載の方法。
【請求項３】
前記信号強度を前記測定することが前記第２のＵＥでアップリンクの合計信号強度を測定すること、ここにおいて、前記第２のＵＥの前記送信電力を前記決定することが前記アップリンクの前記測定された合計信号強度に基づいて前記第２のＵＥの前記送信電力を決定すること、
を備える、請求項１に記載の方法。
【請求項４】
前記第２のＵＥの前記送信電力を前記決定することが、前記第１のＵＥからの前記アップリンク信号のみの前記測定された信号強度に基づいて前記第１のＵＥおよび前記第２のＵＥの間の経路損失を予測することと、および、前記予測された経路損失に基づいて前記第２のＵＥの前記送信電力を決定することと
を備える、請求項２に記載の方法。
【請求項５】
前記第１のＵＥおよび前記第２のＵＥの間の前記経路損失が前記第１のＵＥからの前記アップリンク信号の名目送信電力にさらに基づいて予測される、請求項４に記載の方法。
【請求項６】
前記第２のＵＥの前記送信電力が、前記第１のＵＥでの前記第２のＵＥからのダウンリンク信号の目標受信電力にさらに基づいて決定される、請求項１に記載の方法。
【請求項７】
前記第１のＵＥからの前記アップリンク信号の送信電力が、前記第１のＵＥおよび基地局の間の経路損失の関数に基づいて決定され、および、前記第１のＵＥでの前記第２のＵＥからの前記ダウンリンク信号の前記目標受信電力が前記経路損失の関数に基づいて決定される、請求項６に記載の方法。
【請求項８】
前記第２のＵＥの前記送信電力が、前記第２のＵＥからの帯域外エミッションの減衰の量によって決定されるオフセットにさらに基づいて決定される、請求項１に記載の方法。
【請求項９】
悪いチャネル状態を観測する前記第１のＵＥを示す前記情報を受信すること、ここにおいて、前記第２のＵＥの前記送信電力が、前記情報の受信に応答して、前記第１のＵＥからの少なくとも前記アップリンク信号の前記測定された信号強度に基づいて決定されること、
をさらに備える、請求項１に記載の方法。
【請求項１０】
前記第１のＵＥからの前記アップリンク信号に関連する情報を受信すること、ここにおいて、前記第１のＵＥからの前記アップリンク信号のみの前記信号強度が、前記受信された情報に基づいて測定され、または前記第２のＵＥの前記送信電力が前記受信情報に基づいて決定され、あるいはその両方であること、
をさらに備える、請求項２に記載の方法。
【請求項１１】
前記第１のＵＥが基地局から第１のキャリア上のダウンリンク信号を受信し、および、第２のキャリア上の前記第２のＵＥの前記送信電力が前記第１のＵＥからの少なくとも前記アップリンク信号の前記測定された信号強度に基づいて決定され、ここで、前記第２のキャリアは前記第１のキャリアとは異なる、請求項１に記載の方法。
【請求項１２】
前記第１のＵＥが基地局から第１のキャリア上のダウンリンク信号を受信し、および前記第１のキャリア上の前記第２のＵＥの前記送信電力が前記第１のＵＥからの少なくとも前記アップリンク信号の前記測定された信号強度に基づいて決定される、請求項１に記載の方法。
【請求項１３】
ワイヤレス通信のための装置であって、
第２のユーザ機器（ＵＥ）で第１のＵＥからの少なくともアップリンク信号の信号強度を測定するための手段と、ここにおいて、前記第１のＵＥが基地局と通信し、前記第２のＵＥが第３のＵＥとピアツーピア通信すること、および
前記第１のＵＥからの少なくとも前記アップリンク信号の前記測定された信号強度に基づいて、前記第２のＵＥの送信電力を決定するための手段と
を備える、装置。
【請求項１４】
前記信号強度を測定するための前記手段が前記第１のＵＥからの前記アップリンク信号のみの前記信号強度を測定するための手段を備え、および前記第２のＵＥの前記送信電力を決定するための前記手段が前記第１のＵＥからの前記アップリンク信号のみの前記測定された信号強度に基づいて前記第２のＵＥの前記送信電力を決定するための手段を備える、請求項１３に記載の装置。
【請求項１５】
前記第２のＵＥの前記送信電力を決定するための前記手段が、
前記第１のＵＥからの前記アップリンク信号のみの前記測定された信号強度に基づいて前記第１のＵＥおよび前記第２のＵＥの間の経路損失を予測するための手段と、および
前記予測された経路損失に基づいて前記第２のＵＥの前記送信電力を決定するための手段と
を備える、請求項１４に記載の装置。
【請求項１６】
前記第２のＵＥの前記送信電力が、前記第１のＵＥでの前記第２のＵＥからのダウンリンク信号の目標受信電力にさらに基づいて決定される、請求項１３に記載の装置。
【請求項１７】
前記第２のＵＥの前記送信電力が、前記第２のＵＥからの帯域外エミッションの減衰の量によって決定されるオフセットにさらに基づいて決定される、請求項１３に記載の装置。
【請求項１８】
前記第１のＵＥが基地局から第１のキャリア上のダウンリンク信号を受信し、および第２のキャリア上の前記第２のＵＥの前記送信電力が前記第１のＵＥからの少なくとも前記アップリンク信号の前記測定された信号強度に基づいて決定され、ここで、前記第２のキャリア前記第１のキャリアとは異なる、請求項１３に記載の装置。
【請求項１９】
ワイヤレス通信のための装置であって、
第２のユーザ機器（ＵＥ）で第１のＵＥからの少なくともアップリンク信号の信号強度を測定し、および前記第１のＵＥからの少なくとも前記アップリンク信号の測定された信号強度に基づいて前記第２のＵＥの送信電力を決定するように構成され、ここにおいて、前記第１のＵＥが基地局と通信し、第２のＵＥが第３のＵＥとピアツーピア通信する、前記少なくとも１つのプロセッサ
を備える、装置。
【請求項２０】
コンピュータプログラム製品であって、
少なくとも１つのコンピュータに第２のユーザ機器（ＵＥ）で第１のＵＥからの少なくともアップリンク信号の信号強度を測定させるコードと、ここにおいて、前記第１のＵＥが基地局と通信し、前記第２のＵＥが第３のＵＥとピアツーピア通信し、および
前記少なくとも１つのコンピュータに前記第１のＵＥからの少なくとも前記アップリンク信号の前記測定された信号強度に基づいて前記第２のＵＥの送信電力を決定させるコードと
を備える、非過渡的なコンピュータ可読媒体
を備える、コンピュータプログラム製品。
【発明の詳細な説明】
【技術分野】
【０００１】
本願は、本発明の譲受人に譲渡され、参照により本明細書に組み込まれている、２００９年７月２２日に出願した米国仮特許出願第６１／２２７，６０８号、表題「ＡＤＪＡＣＥＮＴ  ＣＨＡＮＮＥＬ  ＰＲＯＴＥＣＴＩＯＮ  ＢＹ  Ｐ２Ｐ  ＤＥＶＩＣＥＳ」の優先権を主張するものである。
【０００２】
本開示は、概して通信に関し、特に、ワイヤレス通信ネットワークにおいて干渉を緩和する技法に関する。
【背景技術】
【０００３】
ワイヤレス通信ネットワークは、音声、ビデオ、パケットデータ、メッセージング、ブロードキャストなどのさまざまな通信コンテンツを提供するために広く配備されている。これらのワイヤレスネットワークは、使用可能なネットワークリソースを共用することによって複数のユーザをサポートする能力をもつ多重アクセスネットワークでもよい。かかるワイヤレスネットワークの例は、ワイヤレスワイドエリアネットワーク（ＷＷＡＮ）およびワイヤレスローカルエリアネットワーク（ＷＬＡＮ）を含む。
【０００４】
ワイヤレス通信ネットワークは、いくつかのユーザ機器（ＵＥ）の通信をサポートすることができるいくつかの基地局を含みうる。ＵＥは、ダウンリンクおよびアップリンクを介して基地局と通信することができる。ダウンリンク（または順方向リンク）は基地局からＵＥへの通信リンクを指し、アップリンク（または逆方向リンク）はＵＥから基地局への通信リンクを指す。
【０００５】
ＵＥはまた、ワイヤレスネットワーク内の基地局と通信することなしに、別のＵＥとピアツーピア（Ｐ２Ｐ）通信することもできうる。Ｐ２Ｐ通信は、ローカル通信のためのワイヤレスネットワーク上の負荷を減らすことができる。さらに、２つのＵＥの間のＰ２Ｐ通信は、第１のＵＥが第２のＵＥのためのリレーの機能を果たすことができるようにすることができる。これは、第２のＵＥがワイヤレスネットワークの通常の通達範囲の外側にあっても、第２のＵＥがワイヤレスネットワークと通信できるようにすることができる。しかし、Ｐ２Ｐ通信は、ワイヤレスネットワーク内の基地局と通信する他のＵＥ（またはＷＷＡＮ  ＵＥ）に干渉をもたらしうる。ＷＷＡＮ  ＵＥ上のＰ２Ｐ通信に起因する干渉を緩和することが望ましいことがある。
【発明の概要】
【０００６】
Ｐ２Ｐ通信に起因する干渉を緩和するための技法が本明細書で説明される。Ｐ２Ｐ  ＵＥは、別のＵＥとピアツーピア通信することができ、特定のキャリア上でダウンリンク信号を送信することができる。このダウンリンク信号は、同キャリアまたは異なるキャリア上で基地局と通信するＷＷＡＮ  ＵＥに干渉をもたらしうる。
【０００７】
一態様で、Ｐ２Ｐ  ＵＥは、隣接キャリアおよび／またはそのキャリア上の基地局からのダウンリンク信号の信号強度を測定することができる。Ｐ２Ｐ  ＵＥは、ＷＷＡＮ  ＵＥへの干渉を緩和するために、測定された信号強度に基づいて（比例してなど）その送信電力をセットすることができる。測定された信号強度が十分強い場合、次にＰ２Ｐ  ＵＥは、それがＷＷＡＮ  ＵＥへのより少ない干渉インパクトを有しうるため、より高い電力で送信することができる。逆に言えば、測定された信号強度が低い場合、次にＰ２Ｐ  ＵＥは、ＷＷＡＮ  ＵＥへの干渉を減らすために、より低い電力で送信することができる。
【０００８】
もう１つの態様では、Ｐ２Ｐ  ＵＥは、隣接キャリア上でおよび／またはそのキャリア上でＷＷＡＮ  ＵＥからのアップリンク信号の信号強度を測定することができる。Ｐ２Ｐ  ＵＥは、ＷＷＡＮ  ＵＥへの干渉を緩和するために、測定された信号強度に基づいて（反比例してなど）その送信電力をセットすることができる。一設計で、Ｐ２Ｐ  ＵＥは、ＷＷＡＮ  ＵＥからのアップリンク信号の信号強度を測定することができ、その測定された信号強度に基づいてその送信電力を決定することができる。一設計で、Ｐ２Ｐ  ＵＥは、測定された信号強度とアップリンク信号の名目／期待送信電力とに基づいて、ＷＷＡＮ  ＵＥとＰ２Ｐ  ＵＥの間の経路損失を予測することができる。Ｐ２Ｐ  ＵＥは次に、予測される経路損失とＷＷＡＮ  ＵＥでのＰ２Ｐ  ＵＥからのダウンリンク信号の目標受信電力とに基づいてその送信電力を決定することができる。
【０００９】
本開示のさまざまな態様および特徴が以下にさらに詳しく説明される。
【図面の簡単な説明】
【００１０】
【図１】ワイヤレス通信ネットワークを示す図。
【図２】異なるキャリア上のＷＷＡＮおよびＰ２Ｐ通信を示す図。
【図３】ＵＥの例示的なスペクトルマスク要件を示す図。
【図４】ＷＷＡＮ  ＵＥへの干渉を緩和するためのＰ２Ｐ  ＵＥの動作を示す図。
【図５】ダウンリンク信号の測定に基づくＰ２Ｐ通信に起因する干渉を緩和するためのプロセスを示す図。
【図６】ダウンリンク信号の測定に基づくＰ２Ｐ通信に起因する干渉を緩和するための装置を示す図。
【図７】アップリンク信号の測定に基づくＰ２Ｐ通信に起因する干渉を緩和するためのプロセスを示す図。
【図８】アップリンク信号の測定に基づくＰ２Ｐ通信に起因する干渉を緩和するための装置を示す図。
【図９】Ｐ２Ｐ  ＵＥおよび局の構成図。
【発明を実施するための形態】
【００１１】
本明細書に記載の技法は、ＷＷＡＮ、ＷＬＡＮなどのさまざまなワイヤレス通信ネットワークに使用されることができる。用語「ネットワーク」および「システム」はしばしば互換的に用いられる。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一キャリアＦＤＭＡ（ＳＣ−ＦＤＭＡ）ネットワークなどでもよい。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、広帯域ＣＤＭＡ（ＷＣＤＭＡ（登録商標））とＣＤＭＡの他の変形形態とを含む。ｃｄｍａ２０００は、ＩＳ−２０００、ＩＳ−９５およびＩＳ−８５６標準をカバーする。ＴＤＭＡネットワークは、グローバルシステムフォーモバイルコミュニケーションズ（ＧＳＭ（登録商標））などの無線技術を実装することができる。ＯＦＤＭＡネットワークは、進化型ＵＴＲＡ（Ｅ−ＵＴＲＡ）、ウルトラモバイルブロードバンド（ＵＭＢ）、ＩＥＥＥ  ８０２．１６（ＷｉＭＡＸ）、ＩＥＥＥ  ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の部分である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる組織からの文書で説明される。ｃｄｍａ２０００およびＵＭＢは、「第３世代パートナーシッププロジェクト２」（３ＧＰＰ２）と呼ばれる組織からの文書で説明される。ＷＬＡＮは、ＩＥＥＥ８０２．１１群の標準（Ｗｉ−Ｆｉとも呼ばれる）、Ｈｉｐｅｒｌａｎなどのうちの１つまたは複数の標準を実装しうる。本明細書に記載の技法は、前述のワイヤレスネットワークおよび無線技術、ならびに他のワイヤレスネットワークおよび無線技術に使用されうる。明確にするために以下の説明の多くはＷＷＡＮについてである。
【００１２】
図１は、ＷＷＡＮでもよいワイヤレス通信ネットワーク１００を示す。ワイヤレスネットワーク１００は、いくつかのＵＥの通信をサポートすることができるいくつかの基地局と他のネットワークエンティティとを含みうる。簡単にするために、１つのみの基地局１１０と３つのＵＥ１２０、１２２および１２４とが図１に示される。基地局１１０は、ＵＥと通信する、ノードＢ、進化型ノードＢ（ｅＮＢ）、アクセスポイントなどとも称されうるエンティティでもよい。基地局１１０は、特定の地理的区域に通信通達範囲を提供することができ、その通達範囲区域内に位置するＵＥの通信をサポートすることができる。用語「セル」は、この通達範囲区域に供する基地局１１０および／または基地局サブシステムの通達範囲区域を示しうる。
【００１３】
ＵＥはワイヤレスネットワーク全体に分散されることができ、各ＵＥは固定またはモバイルでもよい。ＵＥはまた、移動局、端末、アクセス端末、加入者ユニット、局などとも称されうる。ＵＥは、携帯電話、パーソナルデジタルアシスタント（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどでもよい。ＵＥは、基地局と通信することができる。別法としてまたは追加で、ＵＥは、他のＵＥとピアツーピア通信することができる。
【００１４】
図１に示す例では、ＵＥ１２０は、基地局１１０と通信することができ、ＷＷＡＮ  ＵＥと称されうる。ＵＥ１２０と基地局１１０の間のＷＷＡＮ通信について、ＵＥ１２０は、基地局１１０からＷＷＡＮダウンリンク信号を受信することができ、基地局１１０にＷＷＡＮアップリンク信号を送信することができる。ＵＥ１２２および１２４は、互いにピアツーピア通信することができ、Ｐ２Ｐ  ＵＥと称されうる。ＵＥ１２２と１２４の間のＰ２Ｐ通信について、ＵＥ１２２は、ピアＵＥ１２４にＰ２Ｐダウンリンク信号を送信することができ、ピアＵＥ１２４からＰ２Ｐアップリンク信号を受信することができる。
【００１５】
Ｐ２Ｐ通信は、さまざまな形でサポートされることができる。たとえば、Ｐ２Ｐ  ＵＥは、ワイヤレスネットワークによって使用されない別個の周波数スペクトル上で動作することができる。別法として、ワイヤレスネットワークのダウンリンクに周波数スペクトルを使用することに不利があることがあるため、Ｐ２Ｐ  ＵＥは、ワイヤレスネットワークのアップリンクに周波数スペクトルを使用することができる。ダウンリンクスペクトルで通信するＰ２Ｐ  ＵＥは、ワイヤレスネットワークと通信するＷＷＡＮ  ＵＥと近くてもよい。ダウンリンクスペクトルが使用される場合、そのときＰ２Ｐ  ＵＥは、ダウンリンク上のＷＷＡＮ  ＵＥに高い干渉をもたらすことがあり、その場合ＷＷＡＮ  ＵＥがワイヤレスネットワークからのダウンリンク信号を受信することができない結果をもたらしうる。
【００１６】
図２は、別個のしかし隣接するキャリア上のＷＷＡＮ通信とＰ２Ｐ通信とを示す。いくつかのキャリアが通信に使用可能でありうる。各キャリアは、特定の中心周波数と特定の帯域幅とに関連付けられることができる。キャリアは、周波数で重複しないように定義されることができる。
【００１７】
図２に示す例で、キャリア２１２は、ワイヤレスネットワークのアップリンク上でＷＷＡＮ通信に使用されることができ、ＷＷＡＮアップリンクキャリアと称されうる。キャリア２２２は、ワイヤレスネットワークのダウンリンク上でＷＷＡＮ通信に使用されることができ、ＷＷＡＮダウンリンクキャリアと称されうる。キャリア２１４は、アップリンク上のＰ２Ｐ通信に使用されることができ、Ｐ２Ｐアップリンクキャリアと称されうる。キャリア２２４は、ダウンリンク上でＰ２Ｐ通信に使用されることができ、Ｐ２Ｐダウンリンクキャリアと称されうる。
【００１８】
理想的には、ＷＷＡＮ通信は、Ｐ２Ｐ通信からのおよびその逆の干渉がない必要がある。これは、図２に示すように、ＷＷＡＮ通信、およびＰ２Ｐ通信などに別個のキャリアを使用することによって、達成されうる。これは、（ｉ）ＷＷＡＮ通信が完全にＷＷＡＮダウンリンクおよびアップリンクキャリア内にあるように制約されうること、および、（ｉｉ）Ｐ２Ｐ通信が完全にＰ２Ｐダウンリンクおよびアップリンクキャリア内にあるように制約されうると仮定する。しかし、この仮定は通常は持続しない。
【００１９】
図３は、ＵＥについての例示的なスペクトルマスク要件を示す。スペクトルマスクは、通過帯域内にある特定の最大量のリップルを指定することができ、阻止帯域内である一定の最小量の減衰を必要としうる。ＵＥによって送信される変調信号は、スペクトルマスク要件に従う必要がありうる。この変調信号は、通過帯域内に大部分は望まれている信号構成要素を含むことができ、阻止帯域内に望ましくない信号構成要素を通常は含むことになる。望ましくない信号構成要素は、Ｑが必要な阻止帯域減衰でありうる場合に、望まれている信号構成要素より少なくともＱデシベル（ｄＢ）下でもよい。
【００２０】
ＵＥからの変調信号内の望ましくない信号構成要素は、ローカルオシレータ（ＬＯ）漏洩、同相／直交（Ｉ／Ｑ）不均衡、およびＵＥでの送信機の非線形性などのさまざまな現象の結果生じうる。たとえば、ＬＯ漏洩は、中心周波数で漏洩したＬＯ信号をもたらすことがあり、この漏洩したＬＯ信号は、望まれている信号構成要素と混ざって望ましくない信号構成要素を生成することがある。Ｉ／Ｑ不均衡は、送信機内のＩおよびＱ経路の間の利得誤差および／または位相誤差の結果生じることがあり、望ましくない信号構成要素を生成しうる。
【００２１】
図３に示すように、Ｐ２Ｐ  ＵＥはＰ２Ｐ  ＵＥからの帯域外エミッションに起因する隣接キャリアへの干渉を引き起こしうる。このキャリア間干渉は、隣接キャリア上でワイヤレスネットワークと通信するＷＷＡＮ  ＵＥの性能を下げることがある。ワイヤレスネットワークの観点から、キャリア間干渉は、ＷＷＡＮ  ＵＥにＰ２Ｐ  ＵＥによって引き起こされるキャリア内干渉よりも問題となりうる。これは、基地局が、ＷＷＡＮ  ＵＥおよびＰ２Ｐ  ＵＥの間のシステム帯域幅を分割することなどによって、それ自体のキャリア上のキャリア内干渉を緩和するための修正行動を取ることができうるからである。しかし、基地局は隣接キャリアをほとんどまたはまったく制御しない。したがって、隣接キャリア上のＷＷＡＮ  ＵＥへのＰ２Ｐ  ＵＥからのキャリア間干渉を最小化するための機構は非常に望ましくなりうる。
【００２２】
一態様で、Ｐ２Ｐ  ＵＥは、隣接キャリア上のおよび／またはそのキャリア上の基地局からのダウンリンク信号について検出することができ、ダウンリンク信号が検出される各キャリアの信号強度を測定することができる。信号強度は、受信電力または受信信号品質に対応しうる。Ｐ２Ｐ  ＵＥは、測定された信号強度に基づいて（比例してなど）その送信電力をセットすることができる。具体的には、測定された信号強度が十分強い場合、次にＰ２Ｐ  ＵＥは、それが基地局と通信するＷＷＡＮ  ＵＥにより少ない干渉インパクトを有しうるため、より高い電力で送信することができる。逆に、測定された信号強度が低い場合、次にＰ２Ｐ  ＵＥは、ＷＷＡＮ  ＵＥへの干渉を減らすために、より低い電力で送信することができる。
【００２３】
Ｐ２Ｐ  ＵＥは、さまざまな形で基地局からのダウンリンク信号について検出することができる。一設計で、Ｐ２Ｐ  ＵＥは、基地局によって使用される無線技術のためのＷＷＡＮ受信機を含みうる。Ｐ２Ｐ  ＵＥは次に、ＷＷＡＮ受信機を使用する基地局からの適切な送信または信号を探索することができる。たとえば、Ｐ２Ｐ  ＵＥは、（ｉ）ＷＷＡＮ  ＵＥによるセル探索と獲得とをサポートするために基地局によって送信される同期信号、（ｉｉ）ＷＷＡＮ  ＵＥによるチャネル予測とチャネル品質測定とをサポートするために基地局によって送信される参照信号、ならびに／または（ｉｉｉ）他のダウンリンク送信を探索することができる。参照信号は、送信機および受信機によって前もって知られている信号であり、パイロットとも称されうる。Ｐ２Ｐ  ＵＥは、ＬＴＥネットワーク内で基地局によって送信されるセル特有の参照信号（ＣＲＳ）、ＷＣＤＭＡネットワーク内で基地局によって送信される共通パイロットチャネル（ＣＰＩＣＨ）、ＣＤＭＡ  １Ｘ  ネットワーク内で基地局によって送信されるパイロットチャネル（ＰＩＣＨ）などを探索することができる。Ｐ２Ｐ  ＵＥは、信号が検出されるキャリア上で検出された信号（ＣＲＳ、ＣＰＩＣＨ、またはＰＩＣＨなど）の信号強度を測定することができる。別法として、Ｐ２Ｐ  ＵＥは、（ｉ）キャリア上の他の送信および／または信号の信号強度、あるいは（ｉｉ）キャリア全体の信号強度を測定することができる。
【００２４】
一設計で、Ｐ２Ｐ  ＵＥは、基地局からのダウンリンク信号を周期的に検出することができ、ダウンリンク信号が検出される各キャリアの信号強度を測定することができる。Ｐ２Ｐ  ＵＥは、Ｐ２Ｐ  ＵＥの通信におけるギャップでもよい、測定ギャップ中に信号検出と測定とを実行することができる。測定ギャップは、（ｉ）ＵＥが測定を行えるようにするための無線技術によって定義される通信がない期間、または（ｉｉ）Ｐ２Ｐ  ＵＥが通信していない期間でもよい。
【００２５】
Ｐ２Ｐ  ＵＥは、さまざまな形で隣接キャリアでおよび／またはそのキャリアで測定された信号強度に基づいてその送信電力を決定することができる。一設計で、Ｐ２Ｐ  ＵＥは、以下のように、測定された信号強度の関数に基づいてその送信電力を決定することができる：
【数１】
2014078979.tif 000003
【００２６】
但し、ＰRXは測定された信号強度であり、ｆ（ＰRX）は任意の適切な関数でもよく、ＰTXはＰ２Ｐ  ＵＥの送信電力である。関数は、測定された信号強度に加えて１つまたは複数の他のパラメータに基づいて定義されることができる。本明細書の記載では、送信電力および受信電力は１ミリワットに対するデシベルの単位（ｄＢｍ）で与えられ、経路損失およびオフセットはｄＢの単位で与えられる。
【００２７】
一設計で、Ｐ２Ｐ  ＵＥは、以下のように、測定された信号強度に基づいてその送信電力を決定することができる：
【数２】
2014078979.tif 000004
【００２８】
但し、ΔOSはオフセットである。オフセットは、Ｐ２Ｐ  ＵＥおよびＷＷＡＮ  ＵＥに優れた性能を提供することができる任意の適切な値でもよい。
【００２９】
もう１つの設計で、Ｐ２Ｐ  ＵＥは、各範囲がＰ２Ｐ  ＵＥの異なる送信電力に関連付けられた、異なる範囲の値と測定された信号強度を比較することができる。Ｐ２Ｐ  ＵＥは、測定された信号強度が収まる範囲の送信電力を使用することができる。
【００３０】
一般に、Ｐ２Ｐ  ＵＥは、次第により高い測定される信号強度について、より高い送信電力で送信することができる。Ｐ２Ｐ  ＵＥの送信電力は、測定された信号強度の線形関数であってもなくてもよい。一設計で、Ｐ２Ｐ  ＵＥは、隣接キャリア上のおよび／またはそのキャリア上の信号強度の測定が成功しない場合、最大送信電力よりも低い送信電力を選択することができる。基地局からの信号が検出されない場合、そのとき基地局は、存在しない、または存在するが弱すぎて検出されないのいずれかである。Ｐ２Ｐ  ＵＥは、後者を仮定することができ、基地局の動作へのインパクトを減らすために、その送信電力を上限に限定することができる。
【００３１】
もう１つの態様では、Ｐ２Ｐ  ＵＥは、隣接キャリア上のおよび／またはそのキャリア上のＷＷＡＮ  ＵＥからのアップリンク信号の信号強度を測定することができる。Ｐ２Ｐ  ＵＥは、ＷＷＡＮ  ＵＥへの干渉を減らすために、測定された信号強度に基づいて（反比例してなど）その送信電力をセットすることができる。Ｐ２Ｐ  ＵＥの動作は、以下の例でさらに明確に説明されうる。
【００３２】
図４は、ＷＷＡＮ  ＵＥへの干渉を緩和するためのＰ２Ｐ  ＵＥの動作を示す。図４に示す例では、ＷＷＡＮ  ＵＥは、ワイヤレスネットワーク内で基地局と通信することができる。Ｐ２Ｐ  ＵＥは、ピアＵＥとも称されうる別のＵＥとピアツーピア通信することができる。
【００３３】
ＷＷＡＮ通信について、ＷＷＡＮ  ＵＥは、基地局からのＷＷＡＮダウンリンク信号を受信することができ、基地局にＷＷＡＮアップリンク信号を送信することができる。Ｐ２Ｐ通信について、Ｐ２Ｐ  ＵＥは、Ｐ２Ｐダウンリンク信号をピアＵＥに送信することができ、ピアＵＥからＰ２Ｐアップリンク信号を受信することができる。Ｐ２Ｐ  ＵＥおよびＷＷＡＮ  ＵＥは、互いにごく近傍にありうる。Ｐ２Ｐ  ＵＥは、基地局にＷＷＡＮ  ＵＥによって送信されるＷＷＡＮアップリンク信号を受信することができる。同様に、ＷＷＡＮ  ＵＥは、ピアＵＥにＰ２Ｐ  ＵＥによって送信されるＰ２Ｐダウンリンク信号を受信することができる。ＷＷＡＮ  ＵＥで、Ｐ２Ｐ  ＵＥからのＰ２Ｐダウンリンク信号は、基地局からのＷＷＡＮダウンリンク信号への干渉として働くことがあり、ＷＷＡＮ  ＵＥの性能を低下させうる。
【００３４】
基地局は、ＰTX,DL1の送信電力でＷＷＡＮダウンリンク信号を送信することができる。ＷＷＡＮ  ＵＥは、ＰRX,DL1＝ＰTX,DL1−Ｘの受信電力でＷＷＡＮダウンリンク信号を受信することができ、但し、Ｘは基地局からＷＷＡＮ  ＵＥへの経路損失である。ＷＷＡＮ  ＵＥは、知られている送信電力およびＷＷＡＮダウンリンク信号の測定された受信電力に基づいて、経路損失を予測することができる。ＷＷＡＮ  ＵＥは、以下のように表されることができる、ＰTX,UL1の送信電力でＷＷＡＮアップリンク信号を送信することができる：
【数３】
2014078979.tif 000005
【００３５】
但し、Ｐ1は基地局でのＷＷＡＮアップリンク信号の目標受信電力である。
【００３６】
Ｐ２Ｐ  ＵＥは、ＰRX,UL1＝ＰTX,UL1−Ｙの受信電力でＷＷＡＮアップリンク信号を受信することができ、但し、ＹはＷＷＡＮ  ＵＥからＰ２Ｐ  ＵＥへの経路損失である。Ｐ２Ｐ  ＵＥは、ＷＷＡＮアップリンク信号の送信電力を知ることができず、以下のように、ＷＷＡＮアップリンク信号についての名目／期待送信電力を仮定することによって「修正された」経路損失を予測することができる：
【数４】
2014078979.tif 000006
【００３７】
但し、ＰTX,UL1,NOMはＷＷＡＮアップリンク信号の名目送信電力であり、Ｚは修正された経路損失である。
【００３８】
Ｐ２Ｐ  ＵＥは、以下のように表されることができる、ＰTX,UL2の送信電力でＰ２Ｐダウンリンク信号を送信することができる：
【数５】
2014078979.tif 000007
【００３９】
但し、Ｐ２は、ＷＷＡＮ  ＵＥでのＰ２Ｐダウンリンク信号の目標受信電力である。
【００４０】
ＷＷＡＮ  ＵＥは、以下のように表されることができる、ＰRX,DL2の受信電力でＰ２Ｐダウンリンク信号を受信することができる：
【数６】
2014078979.tif 000008
【００４１】
ＷＷＡＮ  ＵＥでのＷＷＡＮダウンリンク信号の信号対雑音および干渉比（signal-to-noise-and-interference ratio、ＳＩＮＲ）は以下のように表されることができる：
【数７】
2014078979.tif 000009
【００４２】
式（７）は、ＷＷＡＮ  ＵＥからＰ２Ｐ  ＵＥまでの経路損失がＰ２Ｐ  ＵＥからＷＷＡＮ  ＵＥまでの経路損失とほぼ同等であると仮定する。式（７）はまた、ＷＷＡＮ  ＵＥによって観測されるすべてのまたはほとんどの干渉がＰ２Ｐ  ＵＥからのＰ２Ｐダウンリンク信号に由来すると仮定する。
【００４３】
一例として、図４におけるさまざまな信号の送信電力、受信電力、および経路損失は、以下の値を有しうる：
ＷＷＡＮダウンリンクおよびアップリンクについて：
【数８】
2014078979.tif 000010
【００４４】
ＷＷＡＮ  ＵＥとＰ２Ｐ  ＵＥの間のリンクについて：
【数９】
2014078979.tif 000011
【００４５】
前述の例について、基地局は、＋４３ｄＢｍの送信電力でＷＷＡＮダウンリンク信号を送信することができる。ＷＷＡＮ  ＵＥは、８５ｄＢの経路損失をもつ−４２ｄＢｍの受信電力でＷＷＡＮダウンリンク信号を受信することができる。基地局でのＷＷＡＮアップリンク信号の目標受信電力は−１００ｄＢｍでもよい。ＷＷＡＮ  ＵＥは、８５ｄＢ経路損失による−１５ｄＢｍの送信電力でＷＷＡＮアップリンク信号を送信することができる。ＷＷＡＮ  ＵＥからＰ２Ｐ  ＵＥまでの経路損失は３５ｄＢでもよく、Ｐ２Ｐ  ＵＥは−５０ｄＢｍの受信電力でＷＷＡＮアップリンク信号を受信することができる。ＷＷＡＮアップリンク信号の名目／期待送信電力は−１０ｄＢｍでもよく、修正された経路損失は４０ｄＢでもよい。ＷＷＡＮ  ＵＥでのＰ２Ｐダウンリンク信号の目標受信電力は−６０ｄＢｍでもよく、Ｐ２Ｐ  ＵＥは−２０ｄＢｍの電力レベルでＰ２Ｐダウンリンク信号を送信することができる。ＷＷＡＮ  ＵＥでのＰ２Ｐダウンリンク信号の受信電力は−５５ｄＢｍでもよい。ＷＷＡＮ  ＵＥでのＷＷＡＮダウンリンク信号のＳＩＮＲはＳＩＮＲ＝−４２＋５５＝１３ｄＢでもよい。
【００４６】
式（７）に示すように、ＷＷＡＮ  ＵＥは、ＷＷＡＮ  ＵＥおよびＰ２Ｐ  ＵＥのロケーションと無関係でもよいＳＩＮＲを観測することができる。具体的には、ＳＩＮＲは、ＷＷＡＮリンクの経路損失ＸまたはＰ２Ｐリンクの経路損失Ｙに依存しない。ＷＷＡＮ  ＵＥの目標ＳＩＮＲは、式（７）の最終行に示されるパラメータの適切な値に基づいて決定されることができる。たとえば、Ｐ2は、ＷＷＡＮ  ＵＥの目標ＳＩＮＲを取得するために選択されることができる。
【００４７】
式（３）で示す設計で、ＷＷＡＮ  ＵＥは、経路損失反転を実行することができ、ＷＷＡＮ  ＵＥと基地局の間の経路損失に比例するその送信電力をセットすることができる。第２の設計では、電力制御は、ＷＷＡＮ  ＵＥの送信電力を調整するために使用されうる。この設計では、ＷＷＡＮ  ＵＥからのＷＷＡＮアップリンク信号の送信電力は、以下のように表されることができる：
【数１０】
2014078979.tif 000012
【００４８】
但し、ｇ（Ｘ）は、経路損失の任意の適切な関数でもよい。
【００４９】
第２の設計について、Ｐ２Ｐ  ＵＥは、図４について前述したようにそのＰ２Ｐダウンリンク信号のその送信電力をセットすることができる。ＷＷＡＮ  ＵＥのＳＩＮＲはその場合、以下のように表されうる：
【数１１】
2014078979.tif 000013
【００５０】
第２の設計について、ＷＷＡＮ  ＵＥのＳＩＮＲは、ＷＷＡＮ  ＵＥのロケーションに順々に依存しうる、ＷＷＡＮ  ＵＥと基地局の間の経路損失Ｘに依存しうる。ｇ（Ｘ）−Ｘの最低限の可能な値の慎重な予測が使用されることができ、Ｐ２はｇ（Ｘ）−Ｘを明らかにするために、およびＷＷＡＮ  ＵＥの目標ＳＩＮＲを達成するために、選択されうる。Ｐ２はまた、ダウンリンクとアップリンクの間のリンク不均衡、較正誤差などを補正するために選択されることができる。
【００５１】
明確にするために、前記は、Ｐ２Ｐ  ＵＥがＷＷＡＮダウンリンク信号を送信するために基地局によって使用される同じキャリア上でＰ２Ｐダウンリンク信号を送信すると仮定する。Ｐ２Ｐ  ＵＥおよび基地局が隣接キャリア上で送信する場合、そのときＰ２Ｐダウンリンク信号の送信電力は以下のように決定されることができる：
【数１２】
2014078979.tif 000014
【００５２】
但し、δOSは、オフセットまたは調整である。オフセットδOSは、Ｐ２Ｐ  ＵＥの阻止帯域減衰要件に依存しうる。たとえば、阻止帯域減衰が３０ｄＢである場合、そのときオフセットは３０ｄＢと同等でもよい。Ｐ２Ｐ  ＵＥの送信電力は次に、基地局と同じキャリアの代わりに隣接キャリア上の動作により３０ｄＢだけ増加できる。
【００５３】
一設計で、Ｐ２Ｐ  ＵＥは、ＷＷＡＮ  ＵＥからのＷＷＡＮアップリンク信号の受信電力を自立的に測定することができ、ＷＷＡＮ  ＵＥへの干渉を緩和するために、ＷＷＡＮアップリンク信号の受信電力に基づいてＰ２Ｐダウンリンク信号のその送信電力を調整することができる。Ｐ２Ｐ  ＵＥは、たとえば式（５）または（１０）に示すように、その送信電力を計算するために関連するパラメータの値を提供されることができる。ＷＷＡＮ  ＵＥおよび基地局は、Ｐ２Ｐ  ＵＥの存在を認識している必要はないことがある。もう１つの設計で、Ｐ２Ｐ  ＵＥは、アップリンクの総受信電力を自立的に測定することができる。この設計は、たとえばＰ２Ｐ  ＵＥがＷＷＡＮ  ＵＥに関する情報をもたず、ＷＷＡＮ  ＵＥの受信電力を測定することができないときなどに、使用されうる。
【００５４】
もう１つの設計で、Ｐ２Ｐ  ＵＥは、ＷＷＡＮ  ＵＥへの干渉緩和を改善するために使用されうる情報を提供されることができる。たとえば、Ｐ２Ｐ  ＵＥは、以下のうちの１つまたは複数について情報を提供されることができる：
−  名目送信電力ＰTX,UL1,NOMを置き換えることができる、ＷＷＡＮ  ＵＥによって使用される送信電力と、
−  ＷＷＡＮ  ＵＥからのＷＷＡＮアップリンク信号を探索するために使用されうる、ＷＷＡＮ  ＵＥによって使用されるシーケンス。
【００５５】
一設計で、Ｐ２Ｐ  ＵＥは、ＷＷＡＮ  ＵＥに休みなく干渉緩和を実行することができる。もう１つの設計で、Ｐ２Ｐ  ＵＥは、要求されるときにはいつでも干渉緩和を実行することができる。たとえば、ＷＷＡＮ  ＵＥは、ＷＷＡＮダウンリンク上で悪いチャネル状態を観測することができ、これを基地局に報告することができる。基地局は次に、ＷＷＡＮ  ＵＥによって観測された悪いチャネル状態に関する情報を送信することができる。Ｐ２Ｐ  ＵＥは、基地局からその情報を受信することができ、情報の受信に応答して干渉緩和を実行することができる。
【００５６】
図５は、ピアツーピア通信に起因する干渉を緩和するためのプロセス５００の設計を示す。プロセス５００は、ＵＥによって（下記のように）、または何らかの他のエンティティによって実行されうる。ＵＥは、少なくとも１つの同期信号、もしくは少なくとも１つの参照信号、および／または基地局によって送信されるいくつかの他の送信もしくは信号に基づいて、基地局からのダウンリンク信号を検出することができる。ＵＥは、別のＵＥとピアツーピア通信することができ、基地局と通信していないことがある。ＵＥは、基地局からのダウンリンク信号の信号強度（受信電力など）を測定することができる（ブロック５１２）。ＵＥは、ダウンリンク信号の測定された信号強度に基づいてその送信電力を決定することができる（ブロック５１４）。一設計で、ＵＥは、たとえば式（１）に示すように、ダウンリンク信号の測定された信号強度の関数に基づいてその送信電力を決定することができる。もう１つの設計で、ＵＥは、たとえば式（２）に示すように、ダウンリンク信号の測定された信号強度およびオフセットに基づいてその送信電力を決定することができる。
【００５７】
ＵＥは、第１のキャリア上の基地局からダウンリンク信号を受信することができる。一設計で、ＵＥは、第１のキャリアで送信することができ、このキャリアについてその送信電力を決定することができる。もう１つの設計で、ＵＥは、第１のキャリアとは異なる（隣接するなど）第２のキャリアで送信することができ、第２のキャリアについてその送信電力を決定することができる。
【００５８】
図６は、ピアツーピア通信に起因する干渉を緩和する装置６００の一設計を示す。装置６００は、基地局からのダウンリンク信号の信号強度を測定するためのモジュール６１２と、ダウンリンク信号の測定された信号強度に基づいてＵＥの送信電力を決定するためのモジュール６１４とを含む。ＵＥは、別のＵＥとピアツーピア通信することができ、基地局と通信していないことがある。
【００５９】
図７は、第２のＵＥによるピアツーピア通信に起因する第１のＵＥへの干渉を緩和するためのプロセス７００の一設計を示す。第１のＵＥは基地局と通信することができ、第２のＵＥは第３のＵＥとピアツーピア通信することができる。プロセス７００は、第２のＵＥによって（下記のように）、または何らかの他のエンティティによって、実行されうる。第２のＵＥは、第１のＵＥからの少なくともアップリンク信号の信号強度（受信電力など）を測定することができる（ブロック７１２）。一設計で、第２のＵＥは、第１のＵＥからのアップリンク信号のみの信号強度を測定することができる。もう１つの設計で、第２のＵＥは、第１のＵＥからのアップリンク信号と、場合によっては他のＵＥからのアップリンク信号とを含むことになる、アップリンクでの合計信号強度を測定することができる。いずれの場合にも、第２のＵＥは、第１のＵＥからの少なくともアップリンク信号の測定された信号強度に基づいてその送信電力を決定することができる（ブロック７１４）。
【００６０】
第１のＵＥは、基地局からの第１のキャリア上のダウンリンク信号を受信することができる。一設計で、第２のＵＥは、第１のキャリアで送信することができ、第１のＵＥからの少なくともアップリンク信号の測定された信号強度に基づいて第１のキャリアについてその送信電力を決定することができる。もう１つの設計で、第２のＵＥは、第１のキャリアとは異なる（隣接するなど）第２のキャリアで送信することができ、第１のＵＥからの少なくともアップリンク信号の測定された信号強度に基づいて第２のキャリアについてその送信電力を決定することができる。
【００６１】
ブロック７１４の一設計で、第２のＵＥは、第１のＵＥからのアップリンク信号の測定された信号強度（ＰRX,UL1など）に基づく第１のＵＥと第２のＵＥの間の経路損失（Ｚなど）を予測することができる。経路損失は、たとえば式（４）に示すように、第１のＵＥからのアップリンク信号の名目／期待送信電力（ＰTX,UL1,NOMなど）にさらに基づいて予測されうる。第２のＵＥは次に、予測される経路損失と、たとえば式（５）に示すように、第１のＵＥで第２のＵＥからのダウンリンク信号の目標受信電力（Ｐ2など）とに基づいてその送信電力を決定することができる。第２のＵＥはまた、たとえば式（１０）に示すように、第２のＵＥからの帯域外エミッションの減衰の量によって決定されうるオフセット（δOSなど）にさらに基づいてその送信電力を決定することもできる。
【００６２】
第２のＵＥからのダウンリンク信号の目標受信電力は、第１のＵＥに望まれている性能を提供するために、および場合によっては他の要因を明らかにするために選択されうる。一設計で、第１のＵＥからのアップリンク信号は、たとえば式（８）に示すように、第１のＵＥと基地局の間の経路損失の関数に基づいて決定されることができる。この場合、第１のＵＥでの第２のＵＥからのダウンリンク信号の目標受信電力は、経路損失の関数に基づいて決定されうる。
【００６３】
一設計で、第２のＵＥは、休みなく干渉緩和を実行することができる。もう１つの設計で、第２のＵＥは、要求されたまたは指示されたときのみに干渉緩和を実行することができる。この設計では、第２のＵＥは、悪いチャネル状態を観測する第１のＵＥを示す情報を受信することができる。それに応答して、第２のＵＥは、第１のＵＥへの干渉を緩和するために、第１のＵＥからのアップリンク信号の測定された信号強度に基づいてその送信電力を決定することができる。
【００６４】
一設計で、第２のＵＥは、第２のＵＥに知られているおよび／またはそれによって収集される情報に基づいて自律的に干渉緩和を実行することができる。もう１つの設計で、第２のＵＥは、第１のＵＥによって送信されるアップリンク信号に関する情報を受信することができ、受信情報に基づいて干渉緩和を実行することができる。この情報は、第１のＵＥおよび／または第１のＵＥと通信する基地局から受信されることができる。第２のＵＥは、第１のＵＥなどによって使用されるシーケンスに関する情報を含みうる受信情報に基づいてアップリンク信号の信号強度を測定することができる。第２のＵＥはまた、第１のＵＥの送信電力などを含みうる受信情報に基づいてその送信電力を決定することができる。
【００６５】
図８は、第２のＵＥによるピアツーピア通信に起因する第１のＵＥへの干渉を緩和するための装置８００の一設計を示す。装置８００は、第２のＵＥに関するものであってもよい。装置８００は、第２のＵＥで第１のＵＥからの少なくともアップリンク信号の信号強度を測定し、ここにおいて第１のＵＥは基地局と通信し第２のＵＥは第３のＵＥとピアツーピア通信するする、モジュール８１２と、第１のＵＥからの少なくともアップリンク信号の測定された信号強度に基づいて第２のＵＥの送信電力を決定するためのモジュール８１４とを含む。
【００６６】
図６および８のモジュールは、プロセッサ、電子デバイス、ハードウェアデバイス、電子的構成要素、論理回路、メモリ、ソフトウェアコード、ファームウェアコードなど、またはそれらの任意の組み合わせを備えうる。
【００６７】
図９は、局１１２およびＰ２Ｐ  ＵＥ１２２の一設計の構成図を示す。局１１２は、図１の基地局１１０またはＵＥ１２０でもよい。局１１２はＴアンテナ９３２ａから９３４ｔを装備することができ、ＵＥ１２２はＲアンテナ９５２ａから９５２ｒを装備することができ、但し、概してＴ≧１およびＲ≧１である。
【００６８】
局１１２で、送信プロセッサ９２０は、データソース９１２からのデータとコントローラ／プロセッサ９４０からの制御情報とを受信することができる。プロセッサ９２０は、そのデータと制御情報とを処理（コード化するおよび変調するなど）して、それぞれ、データシンボルと制御シンボルとを取得することができる。プロセッサ９２０はまた、１つまたは複数の参照信号および／または１つもしくは複数の同期信号の参照シンボルを生成することができる。ＴＸ  ＭＩＭＯ（ｔｒａｎｓｍｉｔ  ｍｕｌｔｉｐｌｅ−ｉｎｐｕｔ  ｍｕｌｔｉｐｌｅ−ｏｕｔｐｕｔ）プロセッサ９３０は、該当する場合、データシンボル、制御シンボル、および／または参照シンボルに空間処理（プリコーディングなど）を実行することができ、Ｔ出力シンボルストリームをＴ変調装置（ＭＯＤ）９３２ａから９３２ｔに提供することができる。各変調装置９３２は、それぞれの出力シンボルストリーム（ＯＦＤＭ、ＳＣ−ＦＤＭＡのなど）を処理して出力サンプルストリームを取得することができる。各変調装置９３２はさらに、出力サンプルストリームを処理（アナログに変換する、増幅する、フィルタリングする、およびアップコンバートするなど）して変調信号を取得することができる。変調装置９３２ａから９３２ｔのＴ変調信号は、それぞれ、Ｔアンテナ９３４ａから９３４ｔを介して送信されることができる。
【００６９】
ＵＥ１２２で、アンテナ９５２ａから９５２ｒは、局１１２および他の局（ピアＵＥ１２４、他のＵＥ、および／または基地局など）から変調信号を受信することができ、それぞれ、受信信号を復調装置（ＤＥＭＯＤ）９５４ａから９５４ｒに提供することができる。各復調装置９５４は、それぞれの受信信号を調整（フィルタリングする、増幅する、ダウンコンバートする、デジタル化するなど）して入力サンプルを取得することができる。各復調装置９５４はさらに、入力サンプル（ＯＦＤＭ、ＳＣ−ＦＤＭＡのなど）を処理して受信シンボルを取得することができる。ＭＩＭＯ検出器９５６は、すべてのＲ復調装置９５４ａから９５４ｒから受信シンボルを取得し、妥当な場合には、受信シンボルにＭＩＭＯ検出を実行し、検出シンボルを提供することができる。受信プロセッサ９５８は、検出シンボルを処理（復調する、および復号するなど）し、ＵＥ１２２のための復号データをデータ受信装置９６０に提供し、復号された制御情報をコントローラ／プロセッサ９８０に提供することができる。
【００７０】
ＵＥ１２２で、送信プロセッサ９６４は、データソース９６２からのデータとコントローラ／プロセッサ９８０からの制御情報とを受信することができる。プロセッサ９６４は、そのデータと制御情報とを処理（コード化する、変調するなど）して、それぞれ、データシンボルと制御シンボルとを取得することができる。プロセッサ９６４はまた、１つもしくは複数の参照信号および／または１つもしくは複数の同期信号の参照シンボルを生成することができる。送信プロセッサ９６４からのシンボルは、妥当な場合には、ＴＸ  ＭＩＭＯプロセッサ９６６によってプリコードされ、さらに変調装置９５４ａから９５４ｒ（ＳＣ−ＦＤＭ、ＯＦＤＭのなど）によって処理され、ピアＵＥ１２４および／または他の局に送信されることができる。局１１２は、ＵＥ１２２によって送信される変調信号を受信することができる。
【００７１】
局１１２で、ＵＥ１２２および他の局（他のＵＥおよび／または基地局など）からの変調信号は、アンテナ９３４によって受信され、復調装置９３２によって処理され、妥当な場合ＭＩＭＯ検出器９３６によって検出され、局１１２に送信される復号データと制御情報とを取得するために、受信プロセッサ９３８によってさらに処理されることができる。プロセッサ９３８は、復号データをデータ受信装置９３９に、そして復号制御情報をコントローラ／プロセッサ９４０に提供することができる。
【００７２】
コントローラ／プロセッサ９４０および９８０は、それぞれ、局１１２およびＵＥ１２２での動作を指示することができる。メモリ９４２および９８２は、それぞれ、局１１２およびＵＥ１２２のデータとプログラムコードとを保存することができる。復調装置９５４および／またはプロセッサ９８０は、基地局および／またはＵＥからの信号を検出し、検出された信号の信号強度を測定することができる。プロセッサ９８０は、前述のように、測定された信号強度に基づいて、ＵＥ１２２の送信電力を決定することができる。プロセッサ９８０および／または他のプロセッサとＵＥ１２２にあるモジュールとは、図５のプロセス５００、図７のプロセス７００、および／または本明細書に記載の技法の他のプロセスを実行または指示することができる。
【００７３】
情報および信号はさまざまな異なる技術および技法のいずれかを使用して表されうることが当業者には理解されよう。たとえば、前述をとおして参照されうるデータ、命令、指令、情報、信号、ビット、シンボル、およびチップは、電圧、電流、電磁波、磁気領域、もしくは粒子、光場もしくは粒子、またはそれらの任意の組み合わせによって表されうる。
【００７４】
本明細書の開示に関して記載されるさまざまな例示的論理ブロック、モジュール、回路、およびアルゴリズムステップは、電子ハードウェア、コンピュータソフトウェア、または両方の組合せとして実装されうることが当業者にはさらに理解されよう。ハードウェアおよびソフトウェアのこの互換性を明確に説明するために、さまざまな例示的構成要素、ブロック、モジュール、回路、およびステップは概してそれらの機能に関して説明されてある。かかる機能がハードウェアまたはソフトウェアとして実装されるかは、システム全体に課される特定のアプリケーションおよび設計制約に依存する。当業者はそれぞれの特定のアプリケーションについて変化する方法で記載される機能を実装することができるが、かかる実装の決定が本開示の範囲からの逸脱をもたらすものとして解釈されるべきではない。
【００７５】
本明細書の開示に関して記載されるさまざまな例示的論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書に記載の機能を実行するように設計されたそれらの任意の組合せで実装または実行されることができる。汎用プロセッサは、マイクロプロセッサでもよいが、代替で、プロセッサは従来のプロセッサ、コントローラ、マイクロコントローラ、または状態機械でもよい。プロセッサは、ＤＳＰおよびマイクロプロセッサの組合せ、複数のマイクロプロセッサ、ＤＳＰコアと結合した１つまたは複数のマイクロプロセッサ、あるいは任意の他のかかる構成など、計算デバイスの組合せとして実装されうる。
【００７６】
本明細書の開示に関して記載される方法またはアルゴリズムのステップは、ハードウェアで、プロセッサによって実行されるソフトウェアモジュールに、または、その２つの組合せに直接実装されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当分野で知られる任意の他の形態の記憶媒体内に存在しうる。例示的な記憶媒体は、プロセッサがその記憶媒体から情報を読み取り、そこに情報を書き込むことができるように、プロセッサに結合される。代替では、記憶媒体はプロセッサに不可欠になりうる。プロセッサおよび記憶媒体はＡＳＩＣ内に存在しうる。ＡＳＩＣはユーザ端末内に存在しうる。代替では、プロセッサおよび記憶媒体はユーザ端末内に個別構成要素として存在しうる。
【００７７】
１つまたは複数の例示的な設計で、記載される機能は、ハードウェア、ソフトウェア、ファームウェア、またはそれらの任意の組合せに実装されうる。ソフトウェアに実装される場合、その機能は、コンピュータ可読媒体上の１つまたは複数の命令またはコードとして保存される、または送信されることができる。コンピュータ可読媒体は、コンピュータ記憶媒体と１つの場所から別の場所へのコンピュータプログラムの転送を容易にする任意の媒体を含む通信媒体との両方を含む。記憶媒体は、汎用または専用コンピュータによってアクセスされることができる任意の使用可能な媒体でもよい。一例として、そして限定ではなく、かかるコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは、命令またはデータ構造の形態で望まれているプログラムコード手段を運ぶまたは保存するために使用されうる、そして汎用もしくは専用コンピュータまたは汎用もしくは専用プロセッサによってアクセスされることができる任意の他の媒体を備えうる。また、任意の接続は、コンピュータ可読媒体と適切に称される。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用し、ウェブサイト、サーバ、または、他の遠隔ソースから送信される場合、そのとき、同軸ケーブル、光ファイバケーブル、ツイストペア、ＤＳＬ、または、赤外線、無線およびマイクロ波などのワイヤレス技術が、媒体の定義に含まれる。本明細書において、ディスク（ｄｉｓｋまたはｄｉｓｃ）は、コンパクトディスク（ＣＤ）、レーザディスク、光ディスク、デジタルバーサタイルディスク（ＤＶＤ）、フロッピディスク、およびブルーレイディスクを含み、ｄｉｓｋは通常はデータを磁気的に再生し、一方、ｄｉｓｃはデータをレーザで光学的に再生する。前述の組合せもまたコンピュータ可読媒体の範囲に含まれるべきである。
【００７８】
本開示の前述の説明は、当業者が本開示を作るまたは使用することを可能にするために提供される。本開示へのさまざまな修正が当業者には容易に明らかとなることになり、本明細書で定義される一般的原理は、本開示の趣旨または範囲を逸脱することなしに、他の変形形態にも適用されうる。したがって、本開示は、本明細書に記載の例および設計に限定されるものではなく、本明細書で開示される原理および新しい特徴と一致する最大の範囲を与えられることになる。
【００７９】
以下に、本願出願の当初の特許請求の範囲に記載された発明を付記する。
【００８０】
〔１〕
ワイヤレス通信の方法であって、
基地局からのダウンリンク信号の信号強度を測定することと、および
ユーザ機器（ＵＥ）の送信電力を前記ダウンリンク信号の前記測定された信号強度に基づいて決定することと、ここで、前記ＵＥは別のＵＥとピアツーピア通信し前記基地局と通信しないこと、
を備える、方法。
【００８１】
〔２〕
前記基地局によって送信される少なくとも１つの同期信号、または少なくとも１つの参照信号、あるいはその両方に基づいて、前記基地局からの前記ダウンリンク信号を検出すること、
をさらに備える、〔１〕に記載の方法。
【００８２】
〔３〕
前記ＵＥの前記送信電力を前記決定することが、前記ダウンリンク信号の前記測定された信号強度の関数に基づいて前記ＵＥの前記送信電力を決定すること
を備える、〔１〕に記載の方法。
【００８３】
〔４〕
前記ＵＥの前記送信電力を前記決定することが、前記ダウンリンク信号の前記測定された信号強度およびオフセットに基づいて前記ＵＥの前記送信電力を決定すること
を備える、〔１〕に記載の方法。
【００８４】
〔５〕
第１のキャリア上で前記基地局から前記ダウンリンク信号を受信すること、ここにおいて、前記ＵＥの前記送信電力が前記第１のキャリアとは異なる第２のキャリアに関するものであること、
をさらに備える、〔１〕に記載の方法。
【００８５】
〔６〕
第１のキャリア上で前記基地局から前記ダウンリンク信号を受信すること、ここにおいて、前記ＵＥの前記送信電力が第１のキャリアに関するものであること、
をさらに備える、〔１〕に記載の方法。
【００８６】
〔７〕
ワイヤレス通信のための装置であって、
基地局からのダウンリンク信号の信号強度を測定するための手段と、および
ユーザ機器（ＵＥ）の送信電力を前記ダウンリンク信号の前記測定された信号強度に基づいて決定するための手段と、ここで、前記ＵＥは別のＵＥとピアツーピア通信し基地局と通信しないこと、
を備える、装置。
【００８７】
〔８〕
前記基地局によって送信される少なくとも１つの同期信号、または少なくとも１つの参照信号、あるいはその両方に基づいて、前記基地局からの前記ダウンリンク信号を検出するための手段
をさらに備える、〔７〕に記載の装置。
【００８８】
〔９〕
前記ＵＥの前記送信電力を決定する前記手段が、前記ダウンリンク信号の前記測定された信号強度の関数に基づいて前記ＵＥの前記送信電力を決定するための手段
を備える、〔７〕に記載の装置。
【００８９】
〔１０〕
第１のキャリア上で前記基地局から前記ダウンリンク信号を受信するための手段、ここで、前記ＵＥの前記送信電力が前記第１のキャリアとは異なる第２のキャリアに関するものであること、
をさらに備える、〔７〕に記載の装置。
【００９０】
〔１１〕
ワイヤレス通信のための装置であって、
基地局からのダウンリンク信号の信号強度を測定し、および前記ダウンリンク信号の前記測定された信号強度に基づいて、ユーザ機器（ＵＥ）の送信電力を決定し、ここで、前記ＵＥは別のＵＥとピアツーピア通信し前記基地局と通信しない、
ように構成された、少なくとも１つのプロセッサ
を備える、装置。
【００９１】
〔１２〕
前記少なくとも１つのプロセッサが、前記基地局によって送信される少なくとも１つの同期信号、または少なくとも１つの参照信号、あるいはその両方に基づいて、前記基地局からの前記ダウンリンク信号を検出するように構成された、〔１１〕に記載の装置。
【００９２】
〔１３〕
前記少なくとも１つのプロセッサが、前記ダウンリンク信号の前記測定された信号強度の関数に基づいて、前記ＵＥの前記送信電力を決定するように構成された、〔１１〕に記載の装置。
【００９３】
〔１４〕
前記少なくとも１つのプロセッサが、第１のキャリア上で前記基地局からの前記ダウンリンク信号を受信するように、および前記第１のキャリアとは異なる第２のキャリアに関する前記ＵＥの前記送信電力を決定するように構成された、〔１１〕に記載の装置。
【００９４】
〔１５〕
コンピュータプログラム製品であって、
少なくとも１つのコンピュータに基地局からのダウンリンク信号の信号強度を測定させるためのコードと、および
前記少なくとも１つのコンピュータに、前記ダウンリンク信号の前記測定された信号強度に基づいて、ユーザ機器（ＵＥ）の送信電力を決定させるためのコードと、ここで、前記ＵＥは別のＵＥとピアツーピア通信し前記基地局と通信しないこと
を備える、非一時的なコンピュータ可読媒体
を備える、コンピュータプログラム製品。
【００９５】
〔１６〕
ワイヤレス通信のための方法であって、
第２のユーザ機器（ＵＥ）で第１のＵＥからの少なくともアップリンク信号の信号強度を測定することと、ここにおいて、前記第１のＵＥが基地局と通信し、第２のＵＥが第３のＵＥとピアツーピア通信すること、および
前記第１のＵＥからの少なくとも前記アップリンク信号の前記測定された信号強度に基づいて、前記第２のＵＥの送信電力を決定することと
を備える、方法。
【００９６】
〔１７〕
前記信号強度を前記測定することが、前記第１のＵＥからの前記アップリンク信号のみの前記信号強度を測定すること、および、前記第２のＵＥの前記送信電力を前記決定することが、前記第１のＵＥからの前記アップリンク信号のみの前記測定された信号強度に基づいて、前記第２のＵＥの前記送信電力を決定することと
を備える、〔１６〕に記載の方法。
【００９７】
〔１８〕
前記信号強度を前記測定することが前記第２のＵＥでアップリンクの合計信号強度を測定すること、ここにおいて、前記第２のＵＥの前記送信電力を前記決定することが前記アップリンクの前記測定された合計信号強度に基づいて前記第２のＵＥの前記送信電力を決定すること、
を備える、〔１６〕に記載の方法。
【００９８】
〔１９〕
前記第２のＵＥの前記送信電力を前記決定することが、前記第１のＵＥからの前記アップリンク信号のみの前記測定された信号強度に基づいて前記第１のＵＥおよび前記第２のＵＥの間の経路損失を予測することと、および、前記予測された経路損失に基づいて前記第２のＵＥの前記送信電力を決定することと
を備える、〔１７〕に記載の方法。
【００９９】
〔２０〕
前記第１のＵＥおよび前記第２のＵＥの間の前記経路損失が前記第１のＵＥからの前記アップリンク信号の名目送信電力にさらに基づいて予測される、〔１９〕に記載の方法。
【０１００】
〔２１〕
前記第２のＵＥの前記送信電力が、前記第１のＵＥでの前記第２のＵＥからのダウンリンク信号の目標受信電力にさらに基づいて決定される、〔１６〕に記載の方法。
【０１０１】
〔２２〕
前記第１のＵＥからの前記アップリンク信号の送信電力が、前記第１のＵＥおよび基地局の間の経路損失の関数に基づいて決定され、および、前記第１のＵＥでの前記第２のＵＥからの前記ダウンリンク信号の前記目標受信電力が前記経路損失の関数に基づいて決定される、〔２１〕に記載の方法。
【０１０２】
〔２３〕
前記第２のＵＥの前記送信電力が、前記第２のＵＥからの帯域外エミッションの減衰の量によって決定されるオフセットにさらに基づいて決定される、〔１６〕に記載の方法。
【０１０３】
〔２４〕
悪いチャネル状態を観測する前記第１のＵＥを示す前記情報を受信すること、ここにおいて、前記第２のＵＥの前記送信電力が、前記情報の受信に応答して、前記第１のＵＥからの少なくとも前記アップリンク信号の前記測定された信号強度に基づいて決定されること、
をさらに備える、〔１６〕に記載の方法。
【０１０４】
〔２５〕
前記第１のＵＥからの前記アップリンク信号に関連する情報を受信すること、ここにおいて、前記第１のＵＥからの前記アップリンク信号のみの前記信号強度が、前記受信された情報に基づいて測定され、または前記第２のＵＥの前記送信電力が前記受信情報に基づいて決定され、あるいはその両方であること、
をさらに備える、〔１７〕に記載の方法。
【０１０５】
〔２６〕
前記第１のＵＥが基地局から第１のキャリア上のダウンリンク信号を受信し、および、第２のキャリア上の前記第２のＵＥの前記送信電力が前記第１のＵＥからの少なくとも前記アップリンク信号の前記測定された信号強度に基づいて決定され、ここで、前記第２のキャリアは前記第１のキャリアとは異なる、〔１６〕に記載の方法。
【０１０６】
〔２７〕
前記第１のＵＥが基地局から第１のキャリア上のダウンリンク信号を受信し、および前記第１のキャリア上の前記第２のＵＥの前記送信電力が前記第１のＵＥからの少なくとも前記アップリンク信号の前記測定された信号強度に基づいて決定される、〔１６〕に記載の方法。
【０１０７】
〔２８〕
ワイヤレス通信のための装置であって、
第２のユーザ機器（ＵＥ）で第１のＵＥからの少なくともアップリンク信号の信号強度を測定するための手段と、ここにおいて、前記第１のＵＥが基地局と通信し、前記第２のＵＥが第３のＵＥとピアツーピア通信すること、および
前記第１のＵＥからの少なくとも前記アップリンク信号の前記測定された信号強度に基づいて、前記第２のＵＥの送信電力を決定するための手段と
を備える、装置。
【０１０８】
〔２９〕
前記信号強度を測定するための前記手段が前記第１のＵＥからの前記アップリンク信号のみの前記信号強度を測定するための手段を備え、および前記第２のＵＥの前記送信電力を決定するための前記手段が前記第１のＵＥからの前記アップリンク信号のみの前記測定された信号強度に基づいて前記第２のＵＥの前記送信電力を決定するための手段を備える、〔２８〕に記載の装置。
【０１０９】
〔３０〕
前記第２のＵＥの前記送信電力を決定するための前記手段が、
前記第１のＵＥからの前記アップリンク信号のみの前記測定された信号強度に基づいて前記第１のＵＥおよび前記第２のＵＥの間の経路損失を予測するための手段と、および
前記予測された経路損失に基づいて前記第２のＵＥの前記送信電力を決定するための手段と
を備える、〔２９〕に記載の装置。
【０１１０】
〔３１〕
前記第２のＵＥの前記送信電力が、前記第１のＵＥでの前記第２のＵＥからのダウンリンク信号の目標受信電力にさらに基づいて決定される、〔２８〕に記載の装置。
【０１１１】
〔３２〕
前記第２のＵＥの前記送信電力が、前記第２のＵＥからの帯域外エミッションの減衰の量によって決定されるオフセットにさらに基づいて決定される、〔２８〕に記載の装置。
【０１１２】
〔３３〕
前記第１のＵＥが基地局から第１のキャリア上のダウンリンク信号を受信し、および第２のキャリア上の前記第２のＵＥの前記送信電力が前記第１のＵＥからの少なくとも前記アップリンク信号の前記測定された信号強度に基づいて決定され、ここで、前記第２のキャリア前記第１のキャリアとは異なる、〔２８〕に記載の装置。
【０１１３】
〔３４〕
ワイヤレス通信のための装置であって、
第２のユーザ機器（ＵＥ）で第１のＵＥからの少なくともアップリンク信号の信号強度を測定し、および前記第１のＵＥからの少なくとも前記アップリンク信号の測定された信号強度に基づいて前記第２のＵＥの送信電力を決定するように構成され、ここにおいて、前記第１のＵＥが基地局と通信し、第２のＵＥが第３のＵＥとピアツーピア通信する、前記少なくとも１つのプロセッサ
を備える、装置。
【０１１４】
〔３５〕
コンピュータプログラム製品であって、
少なくとも１つのコンピュータに第２のユーザ機器（ＵＥ）で第１のＵＥからの少なくともアップリンク信号の信号強度を測定させるコードと、ここにおいて、前記第１のＵＥが基地局と通信し、前記第２のＵＥが第３のＵＥとピアツーピア通信し、および
前記少なくとも１つのコンピュータに前記第１のＵＥからの少なくとも前記アップリンク信号の前記測定された信号強度に基づいて前記第２のＵＥの送信電力を決定させるコードと
を備える、非過渡的なコンピュータ可読媒体
を備える、コンピュータプログラム製品。
【図１】
2014078979.tif 000015
【図２】
2014078979.tif 000016
【図３】
2014078979.tif 000017
【図４】
2014078979.tif 000018
【図５】
2014078979.tif 000019
【図６】
2014078979.tif 000020
【図７】
2014078979.tif 000021
【図８】
2014078979.tif 000022
【図９】
2014078979.tif 000023